(57)【特許請求の範囲】
【請求項１】
貫通孔が形成された回転操作部材と、
前記貫通孔に設けられた押圧操作可能な押圧操作部材と、
前記回転操作部材の前記貫通孔内に配置され、前記押圧操作部材と当接する第１コイルばねと、
前記回転操作部材の前記貫通孔内に配置され、前記回転操作部材と当接する第２コイルばねと、
を備えることを特徴とするスイッチ装置。
【請求項２】
前記貫通孔は、前記回転操作部材の軸方向に形成されていることを特徴とする請求項１に記載のスイッチ装置。
【請求項３】
前記押圧操作部材は、前記貫通孔に前記回転操作部材と別部材として設けられていることを特徴とする請求項１又は２に記載のスイッチ装置。
【請求項４】
前記回転操作部材と前記押圧操作部材とを連動させる連動部材を備えることを特徴とする請求項１〜３のいずれか一項に記載のスイッチ装置。
【請求項５】
請求項１〜４のいずれか一項に記載のスイッチ装置を備えることを特徴とする時計。
【発明の詳細な説明】
【技術分野】
【０００１】
この発明は、電子腕時計などの電子時計に用いられるスイッチ装置および時計に関する。
【背景技術】
【０００２】
例えば、電子腕時計においては、特許文献１に記載されているように、時刻を修正する際に、巻真を所定位置に引き出して回転させることにより、指針を運針させるスイッチ装置を備えた構成のものが知られている。
【先行技術文献】
【特許文献】
【０００３】
【特許文献１】特開２００５−１０８６３０号公報
【０００４】
この種のスイッチ装置は、腕時計ケースにその内部と外部とに貫通して設けられたガイドパイプ内に押圧操作部材をスライド可能な状態および回転可能な状態で取り付け、この押圧操作部材の内端部に巻真を一体的に設けると共に、この押圧操作部材の外周に竜頭である円筒形状の回転操作部材をスライド可能で且つ回転可能に取り付けた構成になっている。
【０００５】
このようなスイッチ装置では、回転操作部材が押し込まれた通常運針状態で、押圧操作部がコイルばねのばね力によって回転操作部材から外部に向けて押し出され、この押し出された押圧操作部材をコイルばねのばね力に抗して押圧することができる。また、時刻を修正する際には、回転操作部材を引き出すと、これに伴って押圧操作部材が回転操作部材内でコイルばねのばね力によって押し出され、この状態で回転操作部材を回転させると、この回転操作に伴って押圧操作部材を回転させて、スイッチ操作ができる。
【発明の概要】
【発明が解決しようとする課題】
【０００６】
しかしながら、このような構成のスイッチ装置では、コイルばねのばね力によって押圧操作部材が回転操作部材と共に弾力的に押し出され、この押し出された押圧操作部材に回転操作部材が回転可能に保持されている構成であるから、回転操作部材を回転させて押圧操作部材を連動させて回転させる際に、回転操作部材にガタツキが生じやすく、スイッチ動作が不安定で、回転操作部材を円滑に且つ良好に回転操作することができないという問題がある。
【０００７】
この発明が解決しようとする課題は、安定したスイッチ動作ができると共に、スイッチ操作の向上を図ることができるスイッチ装置を提供することである。
【課題を解決するための手段】
【０００８】
この発明は、貫通孔が形成された回転操作部材と、前記貫通孔に設けられた押圧操作可能な押圧操作部材と、前記回転操作部材の前記貫通孔内に配置され、前記押圧操作部材と当接する第１コイルばねと、前記回転操作部材の前記貫通孔内に配置され、前記回転操作部材と当接する第２コイルばねと、
を備えることを特徴とするスイッチ装置である。
【発明の効果】
【０００９】
この発明によれば、安定したスイッチ動作ができ、これにより円滑に且つ良好にスイッチ操作ができるので、スイッチ操作性の向上を図ることができる。
【図面の簡単な説明】
【００１０】
【図１】この発明を指針式の電子腕時計に適用した一実施形態を示した要部の拡大平面図である。
【図２】図１に示された電子腕時計のＡ−Ａ矢視における要部を示した拡大断面図である。
【図３】図２に示されたスイッチ装置におけるガイドパイプを示した要部の拡大断面図である。
【図４】図２に示されたスイッチ装置における巻真を示し、（ａ）はその一部を省略した拡大正面図、（ｂ）はそのＢ−Ｂ矢視における要部を示した拡大断面図である。
【図５】図２に示されたスイッチ装置の押圧操作部材と回転操作部材とを示し、（ａ）はその拡大断面図、（ｂ）はそれを右側から見た拡大側面図である。
【図６】図５に示された押圧操作部材を示し、（ａ）はその上半分を断面で示した拡大正面図、（ｂ）はそれを右側から見て半分を示した拡大側面図である。
【図７】図５に示された押圧操作部材の操作部を示し、（ａ）はそれを左側から見て示した拡大側面図、（ｂ）はその拡大正面図である。
【図８】図５に示された回転操作部材を示し、（ａ）はその拡大断面図、（ｂ）はそれを右側から見て半分を示した拡大側面図である。
【図９】図５に示された回転操作部材の連動パイプを示し、（ａ）はその拡大断面図、（ｂ）はそれを右側から見て半分を示した拡大側面図である。
【図１０】図２に示されたスイッチ装置のＣ−Ｃ矢視における位置規制部材を示した要部の拡大底面図である。
【図１１】図２に示された電子腕時計のスイッチ装置において回転操作部材を引き出して時刻を修正する状態を示した要部の拡大断面図である。
【図１２】図１０に示された位置規制部材において回転操作部材を引き出して時刻を修正する状態を示した拡大底面図である。
【図１３】図１０に示された位置規制部材において押圧操作部材が押圧操作されてスイッチ動作した状態を示した拡大底面図である。
【発明を実施するための形態】
【００１１】
以下、図１〜図１３を参照して、この発明を指針式の電子腕時計に適用した一実施形態について説明する。
この電子腕時計は、図１および図２に示すように、腕時計ケース１を備えている。この腕時計ケース１の上部開口部には、時計ガラス２がパッキン２ａを介して取り付けられており、この腕時計ケース１の下部には、裏蓋３が防水リング３ａを介して取り付けられている。
【００１２】
また、この腕時計ケース１の上部外周部には、図１および図２に示すように、ベゼル４が設けられている。さらに、この腕時計ケース１の１２時と６時とに位置する箇所の側壁面には、バンド取付部５が側方に突出して設けられており、また３時に位置する箇所の側壁面には、スイッチ保護部６が側方に突出して設けられている。
【００１３】
一方、この腕時計ケース１の内部には、図２に示すように、時計モジュール７が設けられている。この時計モジュール７は、ハウジング８を備えている。このハウジング８には、指針を運針する時計ムーブメント（図示せず）と、時刻を修正するためのスイッチ装置１０とが設けられている。
【００１４】
この場合、指針は、図示しないが、時針、分針、秒針、機能針を有し、これらが同一軸上に位置する各指針軸に取り付けられ、これら各指針軸の回転に伴ってそれぞれ運針するように構成されている。また、時計モジュール７のハウジング８の下面には、図２に示すように、時計全体の駆動およびその制御をする電子回路を搭載するための回路基板９が配置されている。
【００１５】
スイッチ装置１０は、図１に示すように、腕時計ケース１の３時位置に設けられている。このスイッチ装置１０は、図２に示すように、巻真１１と、押圧操作部材１２と、回転操作部材１３と、ガイドパイプ１４とを備えている。巻真１１は、その内端部（図２では左端部）が時計モジュール７のハウジング８内に回転可能で且つスライド可能な状態で配置され、外端部（図２では右端部）がガイドパイプ１４内に挿入されて押圧操作部材１２に取り付けられるように構成されている。
【００１６】
押圧操作部材１２は、図２に示すように、その内端部側（図２では左端部側）がガイドパイプ１４内に挿入され、外端部側（図２では右端部側）が腕時計ケース１の外部に突出している。回転操作部材１３は、腕時計ケース１の外部に突出した押圧操作部材１２の外周部に、その軸方向に沿ってスライド可能で且つ押圧操作部材１２と共に一体的に回転可能な状態で、取り付けられるように構成されている。
【００１７】
ガイドパイプ１４は、図２および図３に示すように、腕時計ケース１の側壁部１ａ内にその内部と外部とに貫通するパイプ本体１５と、このパイプ本体１５の外周面に設けられて腕時計ケース１の側壁部１ａの外面に当接するフランジ部１６とを備えている。この場合、パイプ本体１５は、その内側端部が腕時計ケース１の側壁部１ａの内面から少し突出し、外側端部が腕時計ケース１の側壁部１ａの外面から長く突出して形成されている。
【００１８】
このガイドパイプ１４のパイプ本体１５内には、図２に示すように、押圧操作部材１２の内端部側（図２では左端部側）が挿入されている。この押圧操作部材１２は、図２および図５に示すように、その外径がパイプ本体１５の内径とほぼ同じ大きさに形成された軸部１７と、この軸部１７の外端部（図２では右端部）に設けられて軸部１７よりも大きい径の頭部１８とを備えている。
【００１９】
この押圧操作部材１２の軸部１７は、図２に示すように、防水性を確保するための一対の防水リング２０を介してガイドパイプ１４のパイプ本体１５内にスライド可能で且つ回転可能な状態で取り付けられている。この場合、一対の防水リング２０は、図３に示すように、ガイドパイプ１４のパイプ本体１５における内周面の外部側に埋め込まれた状態で設けられている。
【００２０】
また、この押圧操作部材１２の内端部には、図２に示すように、巻真１１の外端部が連結されている。すなわち、押圧操作部材１２の内端部には、図５（ａ）および図６（ａ）に示すように、ねじ穴２１が軸方向に沿って設けられており、巻真１１の外端部には、図４（ａ）に示すように、押圧操作部材１２のねじ穴２１に螺合するねじ部２２が設けられている。
【００２１】
これにより、押圧操作部材１２は、図２に示すように、軸部１７の内端部のねじ穴２１に巻真１１の外端部のねじ部２２が螺着することにより、ガイドパイプ１４内において軸部１７の内端部に巻真１１の外端部が取り付けられ、この状態で巻真１１と一体的に軸方向に沿ってスライドすると共に回転するように構成されている。
【００２２】
一方、回転操作部材１３は、図２および図５に示すように、ほぼ円筒形状に形成され、その内部に腕時計ケース１の外部に位置する押圧操作部材１２およびガイドパイプ１４のフランジ部１６が挿入するように構成されている。この回転操作部材１３の外周面には、図８（ａ）および図８（ｂ）に示すように、滑り止め用の溝部１３ａが円周方向に沿って等間隔で多数設けられている。
【００２３】
また、この回転操作部材１３は、図２および図８に示すように、その内径がガイドパイプ１４のフランジ部１６の外径とほぼ同じ大きさの貫通孔２３が軸方向に貫通して形成されている。この貫通孔２３の外部側（図８（ａ）では右側）の開口には、図５および図８（ａ）に示すように、押圧操作部材１２が貫通孔２３から腕時計ケース１の外部側（図２では右側）に向けて抜け出すのを阻止する抜止め鍔部２４が設けられている。
【００２４】
この抜止め鍔部２４は、図２および図５（ａ）に示すように、押圧操作部材１２の頭部１８に設けられた後述するストッパ部２８ａが内側から当接することにより、押圧操作部材１２が貫通孔２３から腕時計ケース１の外部側（図５（ａ）では右側）に向けて抜け出さないように構成されている。
【００２５】
また、この回転操作部材１３は、図２に示すように、押圧操作部材１２と共に押し込まれた状態で、ロック部２５によってガイドパイプ１４にロックされるように構成されている。すなわち、このロック部２５は、図８（ａ）に示す回転操作部材１３の貫通孔２３における内部側（図８（ａ）では左側）に位置する開口の内周面に設けられた雌ねじ部２５ａと、図３に示すガイドパイプ１４のフランジ部１６の外周面に設けられた雄ねじ部２５ｂとを備え、図２に示すように、ガイドパイプ１４の雄ねじ部２５ｂに回転操作部材１３の雌ねじ部２５ａが着脱可能に螺合するように構成されている。
【００２６】
また、この回転操作部材１３の貫通孔２３内には、図５（ａ）に示すように、連動パイプ２７が嵌め込まれている。この連動パイプ２７は、回転操作部材１３の回転を押圧操作部材１２に伝達するためのものであり、回転操作部材１３の貫通孔２３内に固定されている。すなわち、この連動パイプ２７は、その外径が回転操作部材１３の貫通孔２３の内径とほぼ同じ大きさに形成されている。
【００２７】
また、この連動パイプ２７は、図５（ａ）に示すように、その軸方向の長さが回転操作部材１３のほぼ半分程度の長さに形成され、その内端部にリング状の鍔部２７ｂが設けられた構成になっている。さらに、この連動パイプ２７の内周面には、図９（ａ）および図９（ｂ）に示すように、凹凸部２７ａが設けられている。これに伴って、押圧操作部材１２の頭部１８におけるストッパ部２８ａの外周面には、図６（ｂ）に示すように、連動パイプ２７の凹凸部２７ａに係合する後述する凹凸部２８ｂが設けられている。
【００２８】
この場合、押圧操作部材１２の頭部１８は、図２および図５に示すように、回転操作部材１３の抜止め鍔部２４内に挿入して外部に向けて出没する突起部２８と、この突起部２８に取り付けられた操作部２９とを有している。突起部２８の外周面における内端部（図５（ａ）では左端部）には、図５および図６に示すように、回転操作部材１３の抜止め鍔部２４の内壁面に当接するストッパ部２８ａが設けられている。
【００２９】
この突起部２８におけるストッパ部２８ａの外周面には、図６（ａ）および図６（ｂ）に示すように、連動パイプ２７の凹凸部２７ａに係合する凹凸部２８ｂが設けられている。これにより、突起部２８は、その外周部の凹凸部２８ｂが連動パイプ２７の凹凸部２７ａに係合することにより、連動パイプ２７内に軸方向に沿ってスライドすると共に、連動パイプ２７と一体的に回転するように構成されている。
【００３０】
また、操作部２９は、図５および図７に示すように、突起部２８の外端面に取り付けられる取付凸部２９ａと、この取付凸部２９ａに設けられた連動突起部２９ｂとを備えている。取付凸２９ａは、突起部２８の外端面に設けられた取付凹部２８ｃに圧入により嵌着固定されている。連動突起部２９ｂは、押圧操作部材１２が外部から押された際に、回転操作部材１３の外端部に当接するものであり、回転操作部材１３の外周部とほぼ同じ大きさか、それよりも少し小さい大きさに形成されている。
【００３１】
これにより、押圧操作部材１２は、図２および図５に示すように、回転操作部材１３の外部に露出した頭部１８の操作部２９が押圧操作されると、突起部２８のストッパ部２８ａの凹凸部２８ｂが連動パイプ２７の凹凸部２７ａに係合した状態で、連動パイプ２７内を軸方向に沿ってスライドするように構成されている。
【００３２】
また、この押圧操作部材１２は、図２および図５に示すように、回転操作部材１３の回転操作に伴って連動パイプ２７が回転すると、この連動パイプ２７の凹凸部２７ａに突起部２８のストッパ部２８ａの凹凸部２８ｂが係合していることにより、空転することなく、連動パイプ２７と共に一体的に回転するように構成されている。
【００３３】
さらに、この押圧操作部材１２は、図１１に示すように、回転操作部材１３が引き出され、この引き出された回転操作部材１３を押し込んでロックする際に、回転操作部材１３を摘む指が操作部２９の連動突起部２９ｂの外周部に当接して、この操作部２９が押し込まれ、この状態で回転操作部材１３と共に押し込まれるように構成されている。
【００３４】
ところで、この押圧操作部材１２は、図２に示すように、第１コイルばね３０によって回転操作部材１３の貫通孔２３における外端部側（図２では右側）の開口に向けて付勢されている。すなわち、この第１第１コイルばね３０は、腕時計ケース１の外部に突出した押圧操作部材１２の軸部１７の外周に配置された状態で、押圧操作部材１２の頭部１８とガイドパイプ１４のフランジ部１６との間に配置されている。
【００３５】
この場合、第１コイルばね３０は、図２および図５に示すように、その内端部（図２では左端部）がガイドパイプ１４のフランジ部１６の外側面に当接し、外端部（図２では左端部）が押圧操作部材１２の頭部１８の内面に設けられた第１装着溝３１内に第１滑り部材３２を介して弾力的に挿入されるように構成されている。
【００３６】
この第１コイルばね３０は、図２および図５に示すように、押圧操作部材１２の頭部１８の内面に設けられた第１装着溝３１によって、押圧操作部材１２の頭部１８とガイドパイプ１４のフランジ部１６との間における所定位置に規制されている。また、この第１滑り部材３２は、円板状のワッシャーであり、フッ素系、ポリエチレン系などの表面摩擦抵抗が小さい滑り性を有する合成樹脂によって形成されている。
【００３７】
これにより、押圧操作部材１２は、図２に示すように、回転操作部材１３の回転操作に伴って連動パイプ２７が回転する際に、第１コイルばね３０のばね力によって押圧操作部材１２の頭部１８が腕時計ケース１の外部側（図２では右側）に向けて付勢されていても、第１コイルばね３０の外端部（図２では右端部）が第１滑り部材３２に弾接した状態で、回転方向に沿って滑ることにより、連動パイプ２７と共に円滑に回転するように構成されている。
【００３８】
また、回転操作部材１３は、図２に示すように、第２コイルばね３３によって腕時計ケース１の側壁部１ａの外端部側（図２では右側）に向けて付勢されている。すなわち、この第２コイルばね３３は、第１コイルばね３０の外周に配置された状態で、連動パイプ２７とガイドパイプ１４のフランジ部１６との間に配置されている。
【００３９】
この場合、第２コイルばね３３は、図２および図５に示すように、その内端部（図２では左端部）がガイドパイプ１４のフランジ部１６の外側面（図２では右側面）に設けられた第２装着溝３４内に挿入され、外端部（図２では左端部）が連動パイプ２７の内部側の端面に第２滑り部材３５を介して弾接するように構成されている。
【００４０】
この第２コイルばね３３は、図２および図５に示すように、ガイドパイプ１４のフランジ部１６の外側面に設けられた第２装着溝３４によって、連動パイプ２７とガイドパイプ１４のフランジ部１６との間における所定位置に規制されている。この第２滑り部材３５も、第１滑り部材３２と同様、円板状のワッシャーであり、フッ素系、ポリエチレン系などの表面摩擦抵抗が小さい滑り性を有する合成樹脂によって形成されている。
【００４１】
これにより、回転操作部材１２は、図２に示すように、その回転操作に伴って雌ねじ部２６がガイドパイプ１４のフランジ部１６に設けられた雄ねじ部２５から螺脱すると、図１１に示すように、第２コイルばね３３のばね力によって連動パイプ２７が押し出され、これに伴って押圧操作部材１２と共に押し出されるように構成されている。
【００４２】
また、この回転操作部材１２は、図１１に示すように、回転操作に伴って回転する際に、第２コイルばね３３のばね力によって連動パイプ２７が腕時計ケース１の外部側（図１１では右側）に向けて付勢されていても、第２コイルばね３３の外端部（図１１では右端部）が第２滑り部材３５に弾接した状態で、回転方向に沿って滑ることにより、連動パイプ２７と共に円滑に回転するように構成されている。
【００４３】
ところで、巻真１１は、図２および図４に示すように、時計モジュール７のハウジング８内に配置された箇所の内部側（図２では左側）に磁石３７が設けられ、この磁石３７が巻真１１と共に回転することにより、磁石３７で発生した磁界の変化を磁気センサ３８で検出するほか、図１０に示すように、巻真１１の軸方向のスライド位置が位置規制部材４０によって規制されると共に、そのスライド位置に応じてスイッチが切り替わるように構成されている。
【００４４】
すなわち、ハウジング８内に位置する箇所の巻真１１には、図２および図４に示すように、その内端部側（図２では左端部側）から順に、ガイド軸部４１、スライド軸部４２、係合溝部４３が設けられている。ガイド軸部４１は、ハウジング８内に設けられたガイド孔４４内にスライド可能で、且つ回転可能な状態で配置されている。
【００４５】
スライド軸部４２は、図４（ａ）および図４（ｂ）に示すように、断面四角形状の角棒状に形成され、磁石３７が軸方向に沿ってスライド可能に取り付けられていると共に、磁石３７がスライド軸部４２と共に一体的に回転するように構成されている。係合溝部４３は、巻真１１に設けられた環状の凹溝であり、位置規制部材４０の後述するオシドリ４５を巻真１１のスライド動作に応じて回転させるように構成されている。
【００４６】
磁石３７は、図２および図４に示すように、その中心に四角形状の孔３７ａが設けられ、この孔３７ａに巻真１１のスライド軸部４２がスライド可能に挿入された状態で、ハウジング８によって軸方向への移動が規制されている。すなわち、この磁石３７は、巻真１１がスライドしても、スライド軸部４２が磁石３７に対してスライドすることにより、スライド軸部４２の軸方向における位置がハウジング８によって規制されて常に所定位置で回転するように構成されている。
【００４７】
磁気センサ３８は、図２に示すように、ハウジング８の下面に設けられた回路基板９の上面に磁石３７と対応して設けられている。この磁気センサ３８は、２つの磁気検出素子、例えば磁気抵抗素子（ＭＲ素子：Magneto  Resistance  素子）と、その出力をデジタル化するＩＣとを１つのパッケジに収めたものであり、２つの磁気抵抗素子で磁石３７の回転に伴う磁界の変化を検出して、高い（ハイ：Ｈ）、低い（ロウ：Ｌ）の２種類の検出信号を出力するように構成されている。
【００４８】
すなわち、この磁気センサ３８は、２つの磁気抵抗素子の設置位置が異なっていることにより、磁石３７の回転に伴う磁界の変化を検出した際に、出力に位相差が生じ、この位相差によって２種類の検出信号を出力することにより、磁石３７の回転を検出するように構成されている。この場合、回路基板９に組み付けられたマイコン（図示せず）は、２種類の検出信号を解析して、磁石３７の回転角度（回転量）を算出するように構成されている。
【００４９】
また、この磁気センサ３８は、磁石３７の回転方向（正回転であるか逆回転であるか）を検出すると共に、磁石３７の正回転または逆回転が連続しているか否かをも検出する。これにより、回路基板９のマイコンは、磁気センサ３８で検出された回転方向の検出信号により、指針を正方向（時計回り）または逆方向（反時計回り）に回転させると共に、磁気センサ３８で検出された磁石３７の回転が連続しているか否かの検出信号により、回転が連続している場合に、指針を早送りで正方向（時計回り）または逆方向（反時計回り）に回転させる。
【００５０】
一方、巻真１１を位置規制する位置規制部材４０は、図１０に示すように、オシドリ４５、オシドリばね４６、スイッチ板４７、および押え板４８を備えている。オシドリ４５は、図１０に示すように、平板状に形成され、ハウジング８に回転可能に取り付けられ、巻真１１の軸方向への移動に応じて回転するように構成されている。すなわち、このオシドリ４５は、ハウジング８に起立して設けられた支持軸５０にハウジング８の面方向に回転可能に取り付けられている。
【００５１】
このオシドリ４５には、図１０に示すように、巻真１１の係合溝部４３内に配置される連動アーム部４５ａと、オシドリばね４６によって弾力的に位置規制される連動ピン４５ｂと、スイッチ板４７をオシドリ４５と共に回転させる連結ピン４５ｃとが設けられている。これにより、オシドリ４５は、図１０に示すように、巻真１１が軸方向に移動すると、巻真１１の係合溝部４３の移動に伴って連動アーム部４５ａが揺動することにより、支持軸５０を中心に回転するように構成されている。
【００５２】
オシドリばね４６は、図１０に示すように、板ばねであり、オシドリ４５の近傍に位置する箇所のハウジング８に固定され、オシドリ４５の連動ピン４５ｂを弾力的に保持して位置規制することにより、オシドリ４５の回動位置を弾力的に規制して巻真１１の軸方向の移動位置を規制するように構成されている。すなわち、このオシドリばね４６は、図１０に示すように、その先端部にオシドリ４５の連動ピン４５ｂを弾力的に保持する位置規制部５１が設けられている。
【００５３】
この位置規制部５１には、図１０に示すように、連動ピン４５ｂを弾力的に係止する複数の係止凹部５１ａが設けられている。これにより、オシドリばね４６は、図１０に示すように、巻真１１が押し込まれた第１の位置（通常運針状態）のときに、オシドリ４５の連動ピン４５ｂを位置規制部５１のいずれかの係止凹部５１ａで弾力的に係止することにより、巻真１１を第１の位置に規制するように構成されている。
【００５４】
また、このオシドリばね４６は、図１２に示すように、巻真１１が軸方向に引き出された第２の位置（時刻修正状態の位置）に移動するときに、オシドリ４５が回転し、その回転に伴って連動ピン４５ｂが回転移動して位置規制部５１を弾性変形させ、この弾性変形した位置規制部５１のいずれかの係止凹部５１ａがオシドリ４５の連動ピン４５ｂを弾力的に係止することにより、巻真１１を第２の位置に規制するように構成されている。
【００５５】
さらに、このオシドリばね４６は、図１０に示すように、巻真１１が押し込まれた第１の位置（通常運針状態）から、図１３に示すように、巻真１１が更に押し込まれた第３の位置（他の機能状態）に移動する際に、オシドリ４５の回転に伴って連動ピン４５ｂが回転移動して位置規制部５１を弾性変形させ、この弾性変形した位置規制部５１がオシドリ４５の連動ピン４５ｂを弾力的に係止することにより、巻真１１を第３の位置に規制するように構成されている。
【００５６】
スイッチ板４７は、金属板からなり、図１０に示すように、オシドリ４５と共に支持軸５０に回転可能に取り付けられている。このスイッチ板４７には、図１０に示すように、回路基板９の上面に接触して摺動する接触ばね部４７ａが、オシドリ４５の連動アーム部４５ａと反対側に向けて延設されている。このスイッチ板４７の所定箇所には、オシドリ４５の連結ピン４５ｃが挿入されている。
【００５７】
これにより、スイッチ板４７は、図１０に示すように、接触ばね部４７ａの先端部が回路基板９の上面に接触した状態で、オシドリ４５と共に回転移動し、この接触ばね部４７ａの先端部が回路基板９の上面に設けられた接点部９ａ、９ｂのいずれかに接触することにより、接触位置が切り替わるように構成されている。
【００５８】
すなわち、このスイッチ板４７は、図１０に示すように、巻真１１が第１の位置（通常運針状態）に押し込まれてオシドリ４５が回転したときに、このオシドリ４５と共に回転移動し、接触ばね部４７ａが回路基板９の上面に設けられた接点部９ａ、９ｂ間に位置して、その接点部９ａ、９ｂのいずれにも接触しないことにより、通常運針モードを維持するように構成されている。
【００５９】
また、このスイッチ板４７は、図１２に示すように、巻真１１が第２の位置（時刻修正状態）に引き出されてオシドリ４５が回転したときに、このオシドリ４５と共に回転移動し、接触ばね部４７ａが回路基板９の上面に設けられた１つの接点部９ａに接触することにより、通常運針モードから時刻修正モードに切り替えるように構成されている。
【００６０】
さらに、このスイッチ板４７は、図１３に示すように、巻真１１が第３の位置（他の機能状態）に押し込まれてオシドリ４５が回転したときに、このオシドリ４５と共に回転移動し、接触ばね部４７ａが回路基板９の上面に設けられた他の接点部９ｂに接触することにより、通常運針モードから他の機能モードに切り替えるように構成されている。
【００６１】
なお、押え板４８は、図１０に示すように、オシドリばね４６と共にハウジング８にねじ４８ａによって取り付けられて、オシドリばね４６およびスイッチ板４７を押え付けることにより、オシドリ４５をハウジング８に対して回転可能な状態で押えるように構成されている。
【００６２】
次に、この電子腕時計におけるスイッチ装置１０の作用について説明する。
まず、スイッチ装置１０の回転操作部材１３を操作しない通常運針状態について説明する。この通常運針状態では、図２に示すように、回転操作部材１３が腕時計ケース１内に向けて押し込まれてロック部２５によってガイドパイプ１４にロックされている。すなわち、この回転操作部材１３は、その雌ねじ部２５ａがガイドパイプ１４の雄ねじ部２５ｂに螺着してロックされている。
【００６３】
このため、回転操作部材１３は、図２に示すように、その内部に設けられた連動パイプ２７のリング状の鍔部２７ｂが第２滑り部材３５を介して第２コイルばね３３を圧縮させた状態で、腕時計ケース１の内部側に向けて押し込まれている。この状態では、回転操作部材１３の抜止め鍔部２４が押圧操作部材１２の頭部１８に設けられた突起部２８のストッパ部２８ａに外側から当接していることにより、押圧操作部材１２が腕時計ケース１の内部側に向けて押し込まれている。
【００６４】
すなわち、この押圧操作部材１２は、図２に示すように、その頭部１８が第１滑り部材３２を介して第１コイルばね３０を圧縮させた状態で、腕時計ケース１の内部側に向けて押し込まれている。このため、押圧操作部材１２は、その軸部１７がガイドパイプ１４内における腕時計ケース１の内部側に向けて押し込まれている。
【００６５】
また、この状態では、図１０に示すように、巻真１１が位置規制部材４０のオシドリ４５によって第１の位置（通常運針状態）に位置規制されていると共に、この位置規制部材４０のスイッチ板４７が回路基板９の接点部９ａ、９ｂ間に位置して、そのいずれも接触しないオフ状態になっている。
【００６６】
次に、巻真１１を回転させて時刻を修正する場合について説明する。
この場合には、まず、図１１に示すように、回転操作部材１３を回転させてガイドパイプ１４に対する回転操作部材１３のロックを解除する。すなわち、回転操作部材１３を回転させると、ガイドパイプ１４のフランジ部１６の雄ねじ部２５ｂに対する回転操作部材１３の雌ねじ部２５ａの螺着が解除される。
【００６７】
このときには、回転操作部材１３がそのロックを解除する回転操作に伴って腕時計ケース１から離れる方向（図１１では右側）に移動すると共に、第２コイルばね３３のばね力によって押し出される。また、このときには、回転操作部材１３の移動に伴って押圧操作部材１２が第１コイルばね３０のばね力によっても押し出されることにより、回転操作部材１３と同じ方向にスライドする。
【００６８】
また、このときには、押圧操作部材１２の軸部１７に設けられたねじ穴２１に巻真１１のねじ部２２が螺合して、押圧操作部材１２に巻真１１が連結されていることにより、押圧操作部材１２のスライド動作に伴って巻真１１が引き出される方向にスライドする。すると、図１２に示すように、巻真１１の係合溝部４３に係合している位置規制部材４０のオシドリ４５が、巻真１１のスライドに伴って回転し、スイッチ板４７を回転させて、スイッチ板４７の接触ばね部４５ａを１つの接点部９ａに接触させる。
【００６９】
これにより、スイッチがオン状態になり、モードが通常運針モードから時刻修正モードに切り替わる。このため、磁気センサ３８がオンして巻真１１に設けられた磁石３７の磁界を検出可能な状態になる。この状態で、回転操作部材１３を回転させると、これに伴って押圧操作部材１２が回転し、この押圧操作部材１２の回転が巻真１１に伝達され、この巻真１１が押圧操作部材１２と共に回転する。すると、巻真１１と共に磁石３７が回転するので、この磁石３７の回転に伴う磁界の変化を磁気センサ３８で検出し、その検出結果に基づいて指針を運針させて時刻を修正する。
【００７０】
この状態のときに、押圧操作部材１２を外部から押圧操作しても、スイッチがオフ状態になるだけで、モードが切り替わることはない。すなわち、押圧操作部材１２を第１コイルばね３０のばね力に抗して押圧操作すると、これに伴って巻真１１が押し込まれる方向にスライドする。すると、図１０に示すように、巻真１１の係合溝部４３に係合している位置規制部材４０のオシドリ４５が、巻真１１のスライドに伴って回転し、スイッチ板４７を回転させる。このため、図１０に示すように、スイッチ板４７の接触ばね部４５ａが回路基板９の接点部９ａ、９ｂ間に移動し、そのいずれにも接触しないオフ状態になり、モードが切り替わることはない。
【００７１】
このように時刻を修正した後には、スイッチ装置１０の回転操作部材１３を再び押し込んで通常運針状態に戻し、回転操作部材１３が操作できない通常運針状態にロックする。この場合、図１１に示す状態で、回転操作部材１３を腕時計ケース１側に押し込む際には、指先が押圧操作部材１３の頭部１８における操作部２９の連動突起部２９ｂに当接し、この連動突起部２９ｂを押しながら回転操作部材１３が腕時計ケース１側に押し込まれる。
【００７２】
このときには、連動突起部２９ｂが押されることにより、巻真１１の係合溝部４３に係合している位置規制部材４０のオシドリ４５が、巻真１１のスライドに伴って回転し、スイッチ板４７を回転させ、図１０に示すように、スイッチ板４７の接触ばね部４５ａが回路基板９の接点部９ａ、９ｂ間に移動し、そのいずれにも接触しないオフ状態になる。このため、誤って回転操作部材１３を回転させても、磁気センサ３８が磁石３７の回転に伴う磁界の変化を検出することがないので、誤動作を起すことがない。
【００７３】
次に、このスイッチ装置１０の押圧操作部材１２を押圧操作して他の機能に切り替える場合について説明する。
この場合には、図２に示したように、スイッチ装置１０の回転操作部材１３が操作できない通常運針状態にロックし、図１０に示すように、スイッチ板４７の接触ばね部４５ａが回路基板９の接点部９ａ、９ｂ間に移動し、そのいずれにも接触しないオフ状態、つまり通常運針状態にする。
【００７４】
このような通常運針状態において、押圧操作部材１２が外部から押圧操作されると、図２に示す押圧操作部材１２が第１コイルばね３０のばね力に抗して腕時計ケース１の内部側（図２では左側）に向けてスライドし、この押圧操作部材１２のスライドに伴って巻真１１が押し込まれる。このときには、図１３に示すように、巻真１１の係合溝部４３に係合している位置規制部材４０のオシドリ４５が、巻真１１のスライドに伴って回転し、スイッチ板４７を回転させる。このため、スイッチ板４７の接触ばね部４７ａが他の接点部９ｂに接触してオン状態になり、スイッチが通常運針モードから他の機能モードに切り替わる。
【００７５】
このように、この電子腕時計のスイッチ装置１０によれば、軸方向に貫通孔２３が形成された回転操作部材１３と、この回転操作部材１３の貫通孔２３内に移動可能で、貫通孔２３の一方の開口から押圧操作可能で、且つ貫通孔２３の一方の開口から抜け出さないように設けられていると共に、回転操作部材１３を回転させた際に回転操作部材１３と共に一体的に回転する押圧操作部材１２と、回転操作部材１３の貫通孔２３内に配置され、押圧操作部材１２を一方の開口方向に向けて付勢する第１コイルばね３０と、回転操作部材１３の貫通孔２３内に配置され、回転操作部材１３を一方の開口方向に向けて付勢する第２コイルばね３３とを備えているので、安定したスイッチ動作ができ、スイッチ操作性の向上を図ることができる。
【００７６】
すなわち、このスイッチ装置１０では、回転操作部材１３を引き出して回転させる際に、第２コイルばね３３のばね力によって回転操作部材１３を安定して保持した状態で回転させることができると共に、第１コイルばね３０のばね力によって押圧操作部材１２を安定して保持した状態で連動させて回転させることができる。このため、スイッチ操作時にガタツキがなく、安定した状態でスイッチ動作することができ、これにより円滑に且つ良好にスイッチ操作ができるので、スイッチ操作性の向上を図ることができる。
【００７７】
また、このスイッチ装置１０によれば、第１滑り部材３２が、第１コイルばね３０の外端部側に位置する端部が当接する箇所である押圧操作部材１２の頭部１８における内面に設けられ、回転操作部材１３を回転させた際に、第１滑り部材３２が第１コイルばね３０を回転方向に滑らせる構成であるから、押圧操作部材１２が第１コイルばね３０のばね力によって外端部側に向けて付勢されていても、第１コイルばね３０が第１滑り部材３２によって回転方向に沿って滑ることにより、回転操作部材１３を回転操作する際に、回転操作部材１３を押圧操作部材１２と共に円滑に回転させることができる。このため、第１コイルばね３０を備えていても、回転操作性が良く、回転操作部材１３および押圧操作部材１２を円滑に回転させることができる。
【００７８】
同様に、このスイッチ装置１０によれば、第２滑り部材３５が、第２コイルばね３３の外端部側に位置する端部が当接する箇所である回転操作部材１３の連動パイプ２７における鍔部２７ｂの内端面に設けられ、回転操作部材１３を回転させた際に、第２滑り部材３５が第２コイルばね３３を回転方向に滑らせる構成であるから、回転操作部材１３が第２コイルばね３３のばね力によって外端部側に向けて付勢されていても、第２コイルばね３３が第２滑り部材３５によって回転方向に沿って滑ることにより、回転操作部材１３を回転操作する際に、回転操作部材１３を押圧操作部材１２と共に円滑に回転させることができる。このため、第２コイルばね３３を備えていても、回転操作性が良く、回転操作部材１３および押圧操作部材１２を円滑に回転させることができる。
【００７９】
この場合、第１、第２の各コイルばね３０、３３のうち、第２コイルばね３３における一方の開口に位置する端部および他方の開口に位置する端部の少なくとも一方が対応する箇所、つまりガイドパイプ１４のフランジ部１６の所定箇所に、第２コイルばね３３を位置決めする位置決め部である第２装着溝３４が設けられているので、第２コイルばね３３を回転操作部材１３の貫通孔２３内に正確に位置決めして配置することができ、これにより回転操作部材１３を第２コイルばね３３のばね力によって安定した状態で良好に保持することができる。
【００８０】
同様に、第１、第２の各コイルばね３０、３３のうち、第１コイルばね３０における一方の開口に位置する端部および他方の開口に位置する端部の少なくとも一方が対応する箇所、つまり押圧操作部材１２の頭部１８における内面の所定箇所に、第１コイルばね３０を位置決めする位置決め部である第１装着溝３１が設けられているので、第１コイルばね３０を回転操作部材１３の貫通孔２３内に正確に位置決めして配置することができ、これにより押圧操作部材１２を第１コイルばね３０のばね力によって安定した状態で良好に保持することができる。
【００８１】
また、このスイッチ装置１０によれば、回転操作部材１３と押圧操作部材１２とを連動させる連動パイプ２７を備え、この連動パイプ２７は、押圧操作部材１２が第１コイルばね３０のばね力によって押し出された状態のときに回転操作部材１３の回転操作に応じて押圧操作部材１２を連動させて回転させ、この状態で押圧操作部材１２が第１コイルばね３０のばね力に抗して押圧操作された際に、この押圧操作部材１２をスライドさせる構成であるから、スイッチ操作性が良い。
【００８２】
すなわち、この連動パイプ２７は、回転操作部材１３を引き出した状態で、回転操作部材１３を回転操作すると、回転操作部材１３の凹凸部２７ａと押圧操作部材１２の凹凸部２８ｂとが係合していることにより、その回転を押圧操作部材１２に伝達して、この押圧操作部材１２を確実に且つ良好に回転させることができる。また、この状態で押圧操作部材１２を押圧操作すると、回転操作部材１３の凹凸部２７ａと押圧操作部材１２の凹凸部２８ｂとが係合していることにより、第１コイルばね３０のばね力に抗して押圧操作部材１２を円滑にスライドさせて確実に且つ良好に押し込むことができる。
【００８３】
さらに、このスイッチ装置１０によれば、回転操作部材１３を押圧操作部材１２と共に第１、第２の各コイルばね３０、３３のばね力に抗して押し込んだ状態で、回転操作部材１３をロックするロック部２５を備えているので、通常の運針状態のときに、不用意にスイッチ動作するのを確実に防ぐことができる。
【００８４】
すなわち、このロック部２５は、腕時計ケース１の側壁部１ａに設けられたガイドパイプ１４のフランジ部１６の外周部に設けられた雄ねじ部２５ｂと、回転操作部材１３の貫通孔２３の毎週面に設けられた雌ねじ部２５ａとを備えた構成であるから、回転操作部材１３を回転させて雌ねじ部２５ａをガイドパイプ１４のフランジ部１６の雄ねじ部２５ｂに螺合させて締め付けることにより、回転操作部材１３を腕時計ケース１に対して確実に且つ良好に固定してロックすることができる。
【００８５】
なお、上述した実施形態では、第１コイルばね３０の外端部側が対応する押圧操作部材１２における頭部１８の内面に第１滑り部材３２を配置した場合について述べたが、これに限らず、第１コイルばね３０の内端部側が対応するガイドパイプ１４におけるフランジ部１６に第１滑り部材３２を配置しても良い。また、これに限らず、第１滑り部材３２は、第１コイルばね３０の外端部側が対応する押圧操作部材１２における頭部１８の内面と、第１コイルばね３０の内端部側が対応するガイドパイプ１４のフランジ部１６との両方に配置しても良い。
【００８６】
同様に、第２コイルばね３３の外端部側が対応する回転操作部材１３における連動パイプ２７の内側部の端面に第２滑り部材３５を配置した場合について述べたが、これに限らず、第２コイルばね３３の内端部側が対応するガイドパイプ１４におけるフランジ部１６に設けられた装着溝３４内に第２滑り部材３５を配置しても良い。また、これに限らず、第２滑り部材３３も、第２コイルばね３３の外端部側が対応する連動パイプ２７の内側部の端面と、第２コイルばね３３の内端部側が対応するガイドパイプ１４のフランジ部１６の装着溝３４との両方に配置しても良い。
【００８７】
また、上述した実施形態では、第１コイルばね３０の外端部側が対応する押圧操作部材１２における頭部１８の内面にワッシャー形状の第１滑り部材３２を配置した場合について述べたが、第１滑り部材３２は必ずしもワッシャー形状である必要はなく、例えば、第１コイルばね３０の外端部側が対応する押圧操作部材１２における頭部１８の内面に設けられたテフロン（登録商標）層やめっき層などの摩擦抵抗の小さい表面処理層であっても良い。
【００８８】
この場合にも、表面処理層は、第１コイルばね３０の内端部側が対応するガイドパイプ１４のフランジ部１６に設けた構成でも良く、また第１コイルばね３０の外端部側が対応する押圧操作部材１２の頭部１８の内面と、第１コイルばね３０の内端部側が対応するガイドパイプ１４のフランジ部１６との両方に設けた構成であっても良い。
【００８９】
同様に、第２コイルばね３３の外端部側が対応する回転操作部材１３における連動パイプ２７の内側部の端面にワッシャー形状の第２滑り部材３５を配置した場合について述べたが、第２滑り部材３５は必ずしもワッシャー形状である必要はなく、例えば、第２コイルばね３３の外端部側が対応する連動パイプ２７の内側部の端面に設けられたテフロン（登録商標）層やめっき層などの摩擦抵抗の小さい表面処理層であっても良い。
【００９０】
この場合にも、表面処理層は、第２コイルばね３３の内端部側が対応するガイドパイプ１４のフランジ部１６に設けた構成でも良く、また第２コイルばね３３の外端部側が対応する連動パイプ２７の内側部の端面と、第２コイルばね３３の内端部側が対応するガイドパイプ１４のフランジ部１６との両方に設けた構成であっても良い。
【００９１】
なおまた、上述した実施形態およびその各変形例では、指針式の電子腕時計に適用した場合について述べたが、必ずしも電子腕時計である必要はなく、例えばトラベルウオッチ、目覚まし時計、置き時計、掛け時計などの各種の指針式の電子時計に広く適用することができる。あた、必ずしも指針式の電子時計である必要はなく、時刻などの情報を電気光学的に表示する表示パネルを備えたデジタル式の電子時計にも適用することができる。
【００９２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９３】
（付記）
請求項１に記載の発明は、軸方向に貫通孔が形成された回転操作部材と、この回転操作部材の前記貫通孔内に移動可能で、前記貫通孔の一方の開口から押圧操作可能で、且つ前記貫通孔の前記一方の開口から抜け出さないように設けられていると共に、前記回転操作部材を回転させた際に前記回転操作部材と共に一体的に回転する押圧操作部材と、前記回転操作部材の前記貫通孔内に配置され、前記押圧操作部材を前記一方の開口方向に向けて付勢する第１コイルばねと、前記回転操作部材の前記貫通孔内に配置され、前記回転操作部材を前記一方の開口方向に向けて付勢する第２コイルばねと、を備えていることをスイッチ装置である。
【００９４】
請求項２に記載の発明は、請求項１に記載のスイッチ装置において、前記第１、第２の各コイルばねにおける前記一方の開口に位置する端部および他方の開口に位置する端部の少なくとも一方が対応する箇所にそれぞれ設けられ、前記回転操作部材を回転させた際に前記コイルばねを回転方向に滑らせる第１、第２の各滑り部材を備えていることを特徴とするスイッチ装置である。
【００９５】
請求項３に記載の発明は、請求項１または請求項２に記載のスイッチ装置において、前記第１、第２の各コイルばねのうち、少なくとも前記第２コイルばねにおける前記一方の開口に位置する端部および他方の開口に位置する端部の少なくとも一方が対応する箇所に前記第２コイルばねを位置決めする位置決め部が設けられていることを特徴とするスイッチ装置である。
【００９６】
請求項４に記載の発明は、請求項１〜３のいずれかに記載のスイッチ装置において、前記回転操作部材と前記押圧操作部材とを連動させる連動部材を備え、この連動部材は、前記押圧操作部材が前記第１コイルばねのばね力によって押し出された状態のときに前記回転操作部材の回転操作に応じて前記押圧操作部材を連動させて回転させ、且つ前記押圧操作部材が前記第１コイルばねのばね力に抗して押圧操作された際に、この押圧操作部材をスライドさせることを特徴とするスイッチ装置である。
【００９７】
請求項５に記載の発明は、請求項１〜４のいずれかに記載のスイッチ装置において、前記回転操作部材を前記押圧操作部材と共に前記第１、第２の各コイルばねのばね力に抗して押し込んだ状態で、前記回転操作部材をロックするロック部を備えていることを特徴とするスイッチ装置である。
【符号の説明】
【００９８】
１    腕時計ケース
７    時計モジュール
８    ハウジング
１０    スイッチ装置
１１    巻真
１２    押圧操作部材
１３    回転操作部材
１４    ガイドパイプ
１５    パイプ本体
１６    フランジ部
１７    押圧操作部材の軸部
１８    押圧操作部材の頭部
２３    貫通孔
２４    抜止め鍔部
２５    ロック部
２５ａ    雌ねじ部
２５ｂ    雄ねじ部
２７    連動パイプ
２７ａ    凹凸部
２８    押圧操作部材の突起部
２８ａ    ストッパ部
２８ｂ    凹凸部
２９    押圧操作部材の操作部
３０    第１コイルばね
３１    第１装着溝
３２    第１滑り部材
３３    第２コイルばね
３４    第２装着溝
３５    第２滑り部材
３７    磁石
３８    磁気センサ
４０    位置規制部材
【図１】
0005983813.tif 000002
【図２】
0005983813.tif 000003
【図３】
0005983813.tif 000004
【図４】
0005983813.tif 000005
【図５】
0005983813.tif 000006
【図６】
0005983813.tif 000007
【図７】
0005983813.tif 000008
【図８】
0005983813.tif 000009
【図９】
0005983813.tif 000010
【図１０】
0005983813.tif 000011
【図１１】
0005983813.tif 000012
【図１２】
0005983813.tif 000013
【図１３】
0005983813.tif 000014